(57)【要約】【課題】  ディスク装置において、スライダ押さえ部材の構造に工夫を講じるだけでロック機構のフック部が不慮に受部から外れてしまうという事態を防止する。【解決手段】  シャーシ１０に取り付けられているスライダ６０及びこのスライダ６０に備わっているラック６１と、光ピックアップ３０などを備えて昇降可能にシャーシ１０に取り付けられた可動シャーシ５０と、可動シャーシ５０の昇降動作をスライダ６０の往復移動に連動させるカム機構と、ラック６１に噛み合ってスライダ６０を往復移動させるピニオン６２とを備え、光ピックアップ３０の動作モード時には、ピニオン６２に対するラック６１の噛合いが外れるようになっている。ロック機構８０が、シャーシ１０側の受部８１とスライダ６０側のフック部８２とを備える。リブ状のスライダ押さえ部材６７に樹脂ばね部６７を具備させてスライダ６０を弾圧させる。【選択図】        図１
2008186559.tif 000002
【特許請求の範囲】
【請求項１】
枠フレームを形成しているシャーシに往復移動可能に取り付けられているスライダ及びこのスライダに備わっているラックと、光ピックアップ及びターンテーブルを備えて昇降可能に上記シャーシに取り付けられた可動シャーシと、上記スライダと上記可動シャーシとを連結して可動シャーシの昇降動作をスライダの往復移動に連動させるカム機構と、上記シャーシに装備され上記ラックに噛み合って正逆回転することにより上記スライダを往復移動させるピニオンと、を備えて、上記光ピックアップの動作モード時に上記スライダが往動限位置まで押し切られていて上記ピニオンに対する上記ラックの噛合いが外れ、かつ、上記光ピックアップが動作モードから非動作モードに切り換えられることに伴って上記スライダが往動限位置から復動方向に初期移動して上記ラックが上記ピニオンに噛み合うようになっていると共に、
上記シャーシ側に具備された受部と、上記スライダ側に具備されて上記受部に係合することにより上記光ピックアップの動作モード時に往動限位置に位置している上記スライダをその往動限位置に維持するフック部と、を備えるロック機構と、
往動限位置に位置している上記スライダに当接して上記受部に係合している上記フック部がその受部から外れることを防ぐリブ状のスライダ押さえ部材と、を備えているディスク装置において、
リブ状の上記スライダ押さえ部材が上記シャーシに樹脂で一体成形されていると共に、そのスライダ押さえ部材が、上記シャーシに連設されているリブ部とこのリブ部に片持ち状に連設されている板片でなる樹脂ばね部とを備えているのに対し、上記ロック機構のフック部が上記スライダの往復移動方向に対して交差する方向に変位して上記受部に係脱するように構成され、上記スライダに具備された突片部の円弧状の端面にスライダ押さえ部材の上記樹脂ばね部を弾接させて上記受部と上記フック部との係合幅を増大させる方向にそのフック部を押圧させていることを特徴とするディスク装置。
【請求項２】
枠フレームを形成しているシャーシに往復移動可能に取り付けられているスライダ及びこのスライダに備わっているラックと、光ピックアップ及びターンテーブルを備えて昇降可能に上記シャーシに取り付けられた可動シャーシと、上記スライダと上記可動シャーシとを連結して可動シャーシの昇降動作をスライダの往復移動に連動させるカム機構と、上記シャーシに装備され上記ラックに噛み合って正逆回転することにより上記スライダを往復移動させるピニオンと、を備えて、上記光ピックアップの動作モード時に上記スライダが往動限位置まで押し切られていて上記ピニオンに対する上記ラックの噛合いが外れ、かつ、上記光ピックアップが動作モードから非動作モードに切り換えられることに伴って上記スライダが往動限位置から復動方向に初期移動して上記ラックが上記ピニオンに噛み合うようになっていると共に、
上記シャーシ側に具備された受部と、上記スライダ側に具備されて上記受部に係合することにより上記光ピックアップの動作モード時に往動限位置に位置している上記スライダをその往動限位置に維持するフック部と、を備えるロック機構と、
往動限位置に位置している上記スライダに当接して上記受部に係合している上記フック部がその受部から外れることを防ぐリブ状のスライダ押さえ部材と、を備えているディスク装置において、
リブ状の上記スライダ押さえ部材に弾性を付与してそのスライダ押さえ部材を上記スライダに弾圧させて上記受部と上記フック部との係合幅を増大させる方向にそのフック部を押圧させていることを特徴とするディスク装置。
【請求項３】
上記スライダ押さえ部材が、上記シャーシに樹脂で一体成形されている請求項２に記載したディスク装置。
【請求項４】
上記スライダ押さえ部材が、上記シャーシに連設されているリブ部と、このリブ部に片持ち状に連設されている板片でなる樹脂ばね部と、を備える請求項３に記載したディスク装置。
【発明の詳細な説明】
【技術分野】
【０００１】
本発明は、ディスク装置、特に、光ピックアップやターンテーブルを備える可動シャーシ（ドライブシャーシ）をカム機構を介して昇降させるための往復移動可能なスライダ（カムスライダ）を、所定位置で位置決めするためのロック機構を備えたディスク装置に関する。
【背景技術】
【０００２】
ディスク装置の一例であるディスクプレーヤでは、光ピックアップやターンテーブルを備えるドライブシャーシの昇降動作を通じてディスクをディスクトレイから上記ターンテーブルに受け取らせたりターンテーブルからディスクトレイに受け渡したりすること、ドライブシャーシの昇降動作をカムスライダの往復移動を通じて行わせることなどが従来より行われている（たとえば、特許文献１参照）。
【０００３】
このようなディスク装置において、たとえば、光ピックアップの動作モード時の走行動作やディスクトレイの出退動作、カムスライダの往復移動動作などを行わせるための駆動源として単一のモータを共用する場合、光ピックアップの動作モード時にはカムスライダを定位置に位置決めしておくことが要求される。そこで、従来は、カムスライダを定位置に位置決めするための手段としてロック機構が採用されていた。
【０００４】
図３はディスク装置の基本構成を示した概略平面図であり、同図を参照してディスク装置の基本構成やその作用、上記ロック機構の構成やその作用などを、次に説明する。
【０００５】
図３において、１０はローダーシャーシと通称されている樹脂成形体でなるシャーシであり、このシャーシ１０に対して仮想線（二点鎖線）で示したディスクトレイ２０が出退可能に組み付けられていて、当該ディスク装置へのディスク（不図示）の給排をディスクトレイ２０の出退動作によって行うことができるようになっている。
【０００６】
シャーシ１０には、光ピックアップ３０や回転テーブル４０が組み付けられたドライブシャーシとしての可動シャーシ５０が取り付けられていて、この可動シャーシ５０が図中一点鎖線で示した支点５０ａを中心にしてシャーシ１０に対して昇降可能になっている。また、シャーシ１０には、カムスライダとしてのスライダ６０が往復移動可能に取り付けられていて、このスライダ６０と可動シャーシ５０とがカム機構により連結されて可動シャーシ５０の昇降動作がスライダ６０の往復移動に連動されている。図例のディスク装置では、カム機構が、可動シャーシ５０の自由端に設けられたボス７０と、スライダ６０に具備されてボス７１が摺動自在に係合しているカム溝（不図示）とによって構成されていて、スライダ６０が矢印Ｘ１，Ｘ２のように左右に往復移動すると、上記カム機構のボス７１が昇降し、そのボス７１の昇降によって可動シャーシ５０が支点５０ａを中心にして昇降する。そして、可動シャーシ５０が上昇すると、ターンテーブル４０がディスクトレイ２０によって搬入されているディスクを受け取り、図示していないクランパと共働してそのディスクをクランプする。これに対し、可動シャーシ５０が下降すると、ディスクのクランプ状態が解除されてディスクがターンテーブル４０からディスクトレイ２０に受け渡されてディスクトレイ２０によるディスクの排出に備えられる。
【０００７】
光ピックアップ３０の動作モード時の走行は、光ピックアップ３０に設けられているラック３１にピニオン３２の回転が伝達されることにより行われるのに対し、スライダ６０の矢印Ｘ１，Ｘ２方向の往復移動は、スライダ６０に設けられているラック６１に別のピニオン６２の回転が伝達されることにより行われる。この場合に、光ピックアップ３０の動作モード時の走行は、ターンテーブル４０が上記のクランパと共働してディスクをクランプしているときに行われるので、上記した２つのピニオン３２，６２の駆動源に１つのモータを共用し、そのモータから各ピニオン３２，６２への伝動経路にクラッチなどの経路切換え機構が介在されていないものでは、光ピックアップ３０の動作モード時に、別のピニオン６２の回転がスライダ６０のラック６１に伝達されないようにするための対策が講じられている必要がある。
【０００８】
そこで、図３のディスク装置では、図示のように、ラック６２とピニオン６１との噛合いが解除されてラック６１がピニオン６２に間隔を隔てて対峙する位置をスライダ６０の往動限位置として定め、スライダ６０がそのような往動限位置に押し切られて到達しているときに可動シャーシ５０が上昇してディスクに対する上記クランプ状態が維持されるように上記カム機構のカム溝の形状を定めてあると共に、後述するロック機構８０の作用によってスライダ６０をその往動限位置に位置決めするようになっている。
【０００９】
他方、図３のディスク装置では、ディスクトレイ２０の出退動作を行わせるための駆動源についても、光ピックアップ３０やスライダ６０の駆動源としてのモータを共用し、併せて、スライダ６０のラック６１と噛合い可能なピニオン６２と一体に設けられたトレイ歯車２１をディスクトレイ２０の裏面に具備されたラック２２に対応させてある。このことにより、光ピックアップ３０の動作モード時には、ディスクトレイ２０のラック２２にトレイ歯車２１の回転が伝達されることのないようにラック２２をトレイ歯車２１に間隔を隔てて対峙させるようにしている。そして、ディスクトレイ２０によってディスクを搬出するときには、ディスクトレイ２０をディスク搬出方向に後退させるのに先立ってスライダ６０を矢印Ｘ２方向に復動させ、そのようなスライダ６０の復動によってスライダ６０に設けられている突起６３をディスクトレイ２０の裏面に設けられている傾斜したカム溝２３に導いてディスクトレイ２０を少し後退させることにより、そのラック２２をディスク歯車２１に噛み合わせるようにしている。
【００１０】
ここで、ディスクトレイ２０をディスク搬出方向に後退させるのに先立って、ロック機構８０によるスライダ６０の位置決め状態を解除させたり、スライダ６０を復動方向（矢印Ｘ２）に初期移動させたりするために、このディスク装置では、光ピックアップ３０が動作モードから非動作モードに切り換えられたときに図３に矢印Ｙ１で示した光ピックアップ３０の初期位置に復帰する動作を利用している。この点を図及び図５を主に参照して次に説明する。
【００１１】
図４（Ａ）はスライダ６０が復動方向に初期移動される直前の状態でのラック３１とスライダ６０との位置関係を示した説明図、図４（Ｂ）は同状態でのロック機構８０の状態を示した説明図であり、図５（Ａ）はスライダ６０が復動方向に初期移動されている状態でのラック３１とスライダ６０との位置関係を示した説明図、図５（Ｂ）は同状態でのロック機構８０の状態を示した説明図である。
【００１２】
ロック機構８０は、シャーシ１０側に具備された受部８１と、スライダ６０側に具備されて上記受部８１に係合することにより光ピックアップ３０の動作モード時に往動限位置に位置しているスライダ６０をその往動限位置に維持するフック部８２とを備えているのに対し、光ピックアップのラック３１にはロック解除ピン３３が設けられている。また、ラック３１にカムピン３４が設けられているのに対し、スライダ６０側に設けたカム溝６４が設けられている。
【００１３】
このような構成で、図３に矢印Ｙ１で示したように光ピックアップ３０が動作モードから非動作モードに切り換えられて初期位置に復帰する動作を行うと、それに伴って図４（Ｂ）から図５（Ｂ）に示したように、ラック３１に設けられているロック解除ピン３３が光ピックアップ３０と同一方向（Ｙ１）に移動するので、そのロック解除ピン３３がフック部８２を押して受部８１から外す。また、図４（Ａ）から図５（Ａ）に示したようにラック３１に設けたカムピン３４も光ピックアップ３０と同一方向（Ｙ１）に移動し、しかも、ロック解除ピン３３がフック部８２を押して受部８１から外した直後に、そのカムピン３４がスライダ６０側に設けたカム溝６４に係合してスライダ６０を図３に示されている往動限位置から復動方向Ｘ２に初期移動させ、それによってスライダ６０のラック６１がピニオン６２に噛み合うようになっている。このため、光ピックアップ３０が初期位置に復帰したときには、スライダ６０のラック６１がピニオン６２に噛み合い、そのピニオン６２の回転がラック６１に伝達されてスライダ６０が復動し、その復動によってピン６３（図３参照）がディスクトレイ２０側のガイド溝２３に導かれてディスクトレイ２０が少し後退し、それによってディスクトレイ２０側のラック２２がディスク歯車２１に噛み合い、ディスクトレイ２０がディスク搬出方向に後退する。
【００１４】
ところで、スライダ６０は、シャーシ１０に設けられているスライド座２４に、そのスライド方向（往復移動方向）に直交する方向にはそれほど大きながたつきを生じない状態でスライド自在に組み付けられているけれども、場合によっては、そのがたつきのためにロック機構８０のフック部８２が不慮に受部８１から外れてしまってスライダ６０が予期しない動作、たとえば復動方向への初期移動を行ったりするおそれがある。そして、そのようなスライダ６０の予期しない初期移動が行われると、スライダ６０のラック６１がピニオン６２に噛み合ってしまって故障の原因になったり当該ディスク装置が動作不良を起こしたりすることがある。
【００１５】
そこで、従来は、図６に示した対策を講じていた。図６は従来のディスク装置の要部の平面図であって、このディスク装置では、スライダ６０に突片部６５を具備させ、スライダ６０が同図のように往動限位置に位置しているときに、その突片部６５に、シャーシ１０側に設けたリブ状のスライダ押さえ部材６６を当接させることによって、ロック機構８０の受部８１に係合しているフック部８２がその受部８１から外れることを防いでいた。
【特許文献１】特開２００５−２２８４４１号公報
【発明の開示】
【発明が解決しようとする課題】
【００１６】
しかしながら、図６を参照して説明したように、ただ単にシャーシ１０側に設けたリブ状のスライダ押さえ部材６６にスライダ６０の突片部６５を当接させる構造を採用しただけでは、ロック機構８０のフック部８２が受部８１から外れることを必ずしも阻止されるとは限らず、上述したスライダ６０のがたつきによってロック機構８０のフック部８２が不慮に受部８１から外れてしまうという事態を確実に防ぐことが困難であることが知見された。
【００１７】
本発明は以上の状況に鑑みてなされたものであり、必要部品点数を増やしたりすることなく、図６を参照して説明したスライダ押さえ部材６６の構造に工夫を講じるだけでロック機構８０のフック部８２が不慮に受部８１から外れてしまうという事態を確実に防止されるディスク装置を提供することを目的とする。
【課題を解決するための手段】
【００１８】
本発明に係るディスク装置は、枠フレームを形成しているシャーシに往復移動可能に取り付けられているスライダ及びこのスライダに備わっているラックと、光ピックアップ及びターンテーブルを備えて昇降可能に上記シャーシに取り付けられた可動シャーシと、上記スライダと上記可動シャーシとを連結して可動シャーシの昇降動作をスライダの往復移動に連動させるカム機構と、上記シャーシに装備され上記ラックに噛み合って正逆回転することにより上記スライダを往復移動させるピニオンと、を備えて、上記光ピックアップの動作モード時に上記スライダが往動限位置まで押し切られていて上記ピニオンに対する上記ラックの噛合いが外れ、かつ、上記光ピックアップが動作モードから非動作モードに切り換えられることに伴って上記スライダが往動限位置から復動方向に初期移動して上記ラックが上記ピニオンに噛み合うようになっている。また、上記シャーシ側に具備された受部と、上記スライダ側に具備されて上記受部に係合することにより上記光ピックアップの動作モード時に往動限位置に位置している上記スライダをその往動限位置に維持するフック部と、を備えるロック機構と、往動限位置に位置している上記スライダに当接して上記受部に係合している上記フック部がその受部から外れることを防ぐリブ状のスライダ押さえ部材と、を備えている。そして、リブ状の上記スライダ押さえ部材に弾性を付与してそのスライダ押さえ部材を上記スライダに弾圧させて上記受部と上記フック部との係合幅を増大させる方向にそのフック部を押圧させている。
【００１９】
この構成を採用すると、リブ状のスライダ押さえ部材に付与されている弾性によって、受部に係合しているフック部が係合幅を増大させる方向に常時弾圧された状態になるので、ロック機構のフック部が不慮に受部から外れてしまうという事態が起こりにくくなる。そのため、フック部が不慮に受部から外れてしまうことに伴うスライダの予期しない動作、たとえば復動方向への初期移動が行われてスライダのラックがピニオンに噛み合ってしまって故障の原因になったり当該ディスク装置が動作不良を起こしたりするといった事態が未然に防止されることになる。
【００２０】
本発明では、上記スライダ押さえ部材が、上記シャーシに樹脂で一体成形されていることが望ましい。また、上記スライダ押さえ部材が、上記シャーシに連設されているリブ部と、このリブ部に片持ち状に連設されている板片でなる樹脂ばね部と、を備えているという構成を採用することが望ましい。これらの各発明によると、スライダ押さえ部材として別部品を用いる必要がない。
【００２１】
本発明に係るディスク装置は、次の構成を採用することによっていっそう具体化されたものになる。すなわち、枠フレームを形成しているシャーシに往復移動可能に取り付けられているスライダ及びこのスライダに備わっているラックと、光ピックアップ及びターンテーブルを備えて昇降可能に上記シャーシに取り付けられた可動シャーシと、上記スライダと上記可動シャーシとを連結して可動シャーシの昇降動作をスライダの往復移動に連動させるカム機構と、上記シャーシに装備され上記ラックに噛み合って正逆回転することにより上記スライダを往復移動させるピニオンと、を備えて、上記光ピックアップの動作モード時に上記スライダが往動限位置まで押し切られていて上記ピニオンに対する上記ラックの噛合いが外れ、かつ、上記光ピックアップが動作モードから非動作モードに切り換えられることに伴って上記スライダが往動限位置から復動方向に初期移動して上記ラックが上記ピニオンに噛み合うようになっていると共に、上記シャーシ側に具備された受部と、上記スライダ側に具備されて上記受部に係合することにより上記光ピックアップの動作モード時に往動限位置に位置している上記スライダをその往動限位置に維持するフック部と、を備えるロック機構と、往動限位置に位置している上記スライダに当接して上記受部に係合している上記フック部がその受部から外れることを防ぐリブ状のスライダ押さえ部材と、を備えているディスク装置において、リブ状の上記スライダ押さえ部材が上記シャーシに樹脂で一体成形されていると共に、そのスライダ押さえ部材が、上記シャーシに連設されているリブ部とこのリブ部に片持ち状に連設されている板片でなる樹脂ばね部とを備えているのに対し、上記ロック機構のフック部が上記スライダの往復移動方向に対して交差する方向に変位して上記受部に係脱するように構成され、上記スライダに具備された突片部の円弧状の端面にスライダ押さえ部材の上記樹脂ばね部を弾接させて上記受部と上記フック部との係合幅を増大させる方向にそのフック部を押圧させている、という構成を採用することによっていっそう具体化されたものになる。
【発明の効果】
【００２２】
以上のように、本発明によれば、必要部品点数を増やしたりすることなく、図６を参照して説明したスライダ押さえ部材の構造に工夫を講じるだけでロック機構のフック部が不慮に受部から外れてしまうという事態が確実に防止されるようになり、動作性能の安定したディスク装置を提供することが可能になる。
【発明を実施するための最良の形態】
【００２３】
図１は本発明の実施形態に係るディスク装置の要部の概略平面図、図２はスライダ押さえ部材６７の概略斜視図である。
【００２４】
この実施形態のディスク装置において、その基本構成やその作用、ロック機構８０の構成やその作用などは、図３〜図６を参照したところと同様である。すなわち、ディスク装置は、枠フレームを形成しているシャーシ１０に往復移動可能に取り付けられているスライダ６０及びこのスライダ６０に備わっているラック６１と、光ピックアップ３０及びターンテーブル４０を備えて昇降可能にシャーシ１０に取り付けられた可動シャーシ５０（図１参照）と、スライダ６０と可動シャーシ５０とを連結して可動シャーシ５０の昇降動作をスライダ６０の往復移動に連動させるカム機構（図３参照）と、シャーシ１０に装備されラック６１に噛み合って正逆回転することによりスライダ６０を往復移動させるピニオン６２と、を備えている点、光ピックアップ３０の動作モード時にスライダ６０が往動限位置まで押し切られていてピニオン６２に対するラック６１の噛合いが外れ、かつ、光ピックアップ３０が動作モードから非動作モードに切り換えられることに伴ってスライダ６０が往動限位置から復動方向に初期移動してラック６１がピニオン６２に噛み合うようになっている点は、図３〜図６を参照したところと同様である。また、ロック機構８０が、シャーシ１０側に具備された受部８１と、スライダ６０側に具備されて受部８１に係合することにより光ピックアップ３０の動作モード時に往動限位置に位置しているスライダ６０をその往動限位置に維持するフック部８２とを備えている点についても、図３〜図６を参照したところと同様である。
【００２５】
この実施形態において、新たに工夫されている事項は、往動限位置に位置しているスライダ６０に当接して受部８１に係合しているフック部８２がその受部８１から外れることを防ぐリブ状のスライダ押さえ部材６７に弾性を付与してそのスライダ押さえ部材６７をスライダ６０に弾圧させて受部８１とフック部８２との係合幅を増大させる方向にそのフック部８２を押圧させている点だけである。
【００２６】
この実施形態において、ロック機構８０のフック部８２はスライダ６０の往復移動方向に対して交差する方向に変位して受部８１に係脱するように構成されている。また、リブ状のスライダ押さえ部材６７がシャーシ１０に樹脂で一体成形されている。具体的には、図２のように、スライダ押さえ部材６７が、シャーシ１０に連設して立ち上げられたリブ部６８とこのリブ部６８に片持ち状に連設されている板片でなる樹脂ばね部６９とを備えている。そして、図１のように、スライド押さえ部材６７とスライダ６０との当接箇所では、スライダ６０に具備されている突片部６５の円弧状の端面６５ａにスライダ押さえ部材６７の樹脂ばね部６９が弾接させていて、樹脂ばね部６９によるフック部８２の押圧方向を、受部８１とフック部８２との係合幅を増大させる方向に一致させている。
【００２７】
スライダ押さえ部材６７の構成を図１及び図２で説明した構成のように変更しておくと、リブ状のスライダ押さえ部材６７に付与されている弾性によって、受部８１に係合しているフック部８２が係合幅を増大させる方向に常時弾圧された状態になるので、ロック機構８０のフック部８２が不慮に受部８１から外れてしまうという事態が起こりにくくなる。そのため、フック部８２が不慮に受部８１から外れてしまうことに伴うスライダ６０の予期しない動作が起こらなくなり、スライダ６０の予期しない動作に起因する故障が起こらず、また、当該ディスク装置が動作不良を起こしたりするといった事態が未然に防止される。このことに加えて、スライダ押さえ部材６７がシャーシ１０に樹脂で一体成形されているために、余分な部品を追加する必要がなくなり、当該ディスク装置の組立性ひいてはその量産性が図３などを参照して説明したものに対して低下することもない。
【図面の簡単な説明】
【００２８】
【図１】本発明の実施形態に係るディスク装置の要部の概略平面図である。
【図２】スライダ押さえ部材の概略斜視図である。
【図３】ディスク装置の基本構成を示した概略平面図である。
【図４】（Ａ）はスライダが復動方向に初期移動される直前の状態でのラックとスライダとの位置関係を示した説明図、（Ｂ）は同状態でのロック機構の状態を示した説明図である。
【図５】（Ａ）はスライダが復動方向に初期移動されている状態でのラックとスライダとの位置関係を示した説明図、（Ｂ）は同状態でのロック機構の状態を示した説明図である。
【図６】従来のディスク装置の要部の平面図である。
【符号の説明】
【００２９】
１０  シャーシ
３０  光ピックアップ
４０  ターンテーブル
５０  可動シャーシ
６０  スライダ
６１  ラック
６２  ピニオン
６５  突片部
６５ａ  突片部の円弧状の端面
６６，６７  スライダ押さえ部材
６８  リブ部
６９  樹脂ばね部
７１  ボス（カム機構）
８０  ロック機構
８１  受部
８２  フック部
【図１】
2008186559.tif 000003
【図２】
2008186559.tif 000004
【図３】
2008186559.tif 000005
【図４】
2008186559.tif 000006
【図５】
2008186559.tif 000007
【図６】
2008186559.tif 000008